(57)【要約】【課題】簡素な構成でかつエネルギの消費を抑制する形態で、外部に排出される油煙量を減少させることが可能なガスグリルを提供する。【解決手段】前方に設けた開口部３１から載置部３３に載置した被調理物３４を収容し、開口部３１を閉塞する扉４６を具備するグリル庫３０と、このグリル庫３０の天井部に設けられ上方から被調理物３４を加熱する上火バーナ３２ａと、グリル庫３０の後部に連設されて調理排気を上方の排気出口４５に案内する排気路５２とを備えるガスグリル４０において、前後左右に側壁Ｈを有し上下が開口した筒状のカバー体Ｃが載置部３３の上方に着脱自在に配設され、被調理物３４の加熱によって発生する油煙が、カバー体Ｃの入口Ｋ１から出口Ｋ２に流動して、上火バーナ３２ａに向けて誘導される。【選択図】図２
2014132207.tif 000002
【特許請求の範囲】
【請求項１】
その前方に設けた開口部から載置部に載置した被調理物を収容し、前記開口部を閉塞する扉を具備するグリル庫と、このグリル庫の天井部に設けられ前記載置部の上方から前記被調理物を加熱する上火バーナと、前記グリル庫の後部に連設されて調理排気を上方の排気出口に案内する排気路と、を備えるガスグリルにおいて、
前記載置部の上方に着脱自在に配設され、その前方及び後方及び左右に側壁を有し、その下方が前記載置部に向けて開口して入口を構成し、その上方が上火バーナに向けて開口して出口を構成する、上下が開口した筒状のカバー体を備え、
前記被調理物の加熱によって発生する油煙が、前記カバー体の前記入口から前記出口に流動して、前記上火バーナに向けて誘導されることを特徴とするガスグリル。
【請求項２】
前記被調理物から落下した焼き汁を受け止めるグリル皿を備え、前記載置部が、前記グリル皿上に載置される焼き網であることを特徴とする請求項１に記載のガスグリル。
【請求項３】
前記被調理物から落下した焼き汁を受け止めるグリル皿を備え、前記載置部が、前記グリル皿の底面から上方に向けて突出して形成した複数の突部であることを特徴とする請求項１に記載のガスグリル。
【請求項４】
前記グリル庫の左右の両側壁の下方に下火バーナを備え、前記焼き網と前記グリル皿との間に前記下火バーナの火炎を形成することを特徴とする請求項２に記載のガスグリル。
【請求項５】
前記カバー体における前記入口と前記出口との間に、前記上火バーナによって加熱される多孔状体を具備することを特徴とする請求項１〜請求項４のいずれか1項に記載のガスグリル。
【請求項６】
前記多孔状体が網により構成されることを特徴とする請求項５に記載のガスグリル。
【請求項７】
前記多孔状体に酸化触媒を担持させたことを特徴とする請求項５または請求項６に記載のガスグリル。
【発明の詳細な説明】
【技術分野】
【０００１】
本発明は、その前方に設けた開口部から載置部に載置した被調理物を収容し、前記開口部を閉塞する扉を具備するグリル庫と、このグリル庫の天井部に設けられ前記載置部の上方から前記被調理物を加熱する上火バーナと、前記グリル庫の後部に連設されて調理排気を上方の排気出口に案内する排気路と、を備えるガスグリルに関する。
【背景技術】
【０００２】
かかるガスグリルは、魚類やピザ等の被調理物を加熱調理するものであり、被調理物を加熱調理する際には、油煙が発生する場合がある。特に、秋刀魚等の油脂分の多い被調理物を加熱調理する際には、多量の油煙が発生する虞がある。
なお、一般に、グリル庫の後部には、上方に向かう排気ダクトが連設されて、グリルバーナの燃焼ガスや被調理物を加熱調理した際に発生する油煙は、排気ダクトを通してガスグリルの外部に排出される。
【０００３】
かかるガスグリルの従来例として、排気ダクトの底部に、排気ダクトを通過する油煙を燃焼させるためのアフターバーナを設け、かつ、排気ダクトの中間部に、油煙を無煙、無臭化処理するための触媒フィルタを設けたものがある（例えば、特許文献１参照。）。
【０００４】
この特許文献１は、グリル庫内に油煙が発生しても、アフターバーナが油煙を燃焼させる作用、及び、触媒フィルタが油煙を無煙、無臭化処理する作用によって、外部に排出される油煙量を減少させることができるものである。
通常、ガスコンロに内蔵されるガスグリルの場合には、排気ダクトから外部に排出された燃焼ガスや油煙が、台所に装備した換気扇にて屋外に排出されることになる等、一般に、ガスグリルから排出される燃焼ガスや油煙は、換気扇にて屋外に排出されることになるため、被調理物を加熱調理する際に、ガスグリルから多少の油煙が排出されても、大きな不都合はない。
【０００５】
しかしながら、秋刀魚等の油脂分の多い被調理物を加熱調理する際に、多量の油煙がガスグリルから排出されると、排出される油煙の全てを換気扇にて的確に屋外に排出し難いことに起因して、油煙のために屋内が汚損される虞があるが、特許文献１は、ガスグリルの外部に排出される油煙量を減少させることができるものである。
【０００６】
因みに、この特許文献１には、アフターバーナの燃焼制御についての詳細な説明はないが、発明の詳細な説明の欄の全体の記載からは、グリルバーナの燃焼が開始されると、アフターバーナの燃焼が開始されるものであると考えることができる。
【先行技術文献】
【特許文献】
【０００７】
【特許文献１】特許第４７２２８８２号公報
【発明の概要】
【発明が解決しようとする課題】
【０００８】
上述した従来例においては、ガスグリルの外部に排出される油煙量を減少させるために、アフターバーナ及び触媒フィルタを装備するものであるため、全体構成が複雑になる不都合があり、また、アフターバーナの燃焼のために、余分なエネルギを消費する不都合があり、改善が望まれるものである。
【０００９】
本発明は、上記実情に鑑みて為されたものであって、その目的は、簡素な構成でかつエネルギの消費を抑制する形態で、外部に排出される油煙量を減少させることが可能なガスグリルを提供する点にある。
【課題を解決するための手段】
【００１０】
本発明のガスグリルは、その前方に設けた開口部から載置部に載置した被調理物を収容し、前記開口部を閉塞する扉を具備するグリル庫と、このグリル庫の天井部に設けられ前記載置部の上方から前記被調理物を加熱する上火バーナと、前記グリル庫の後部に連設されて調理排気を上方の排気出口に案内する排気路と、を備えるように構成されたものであって、その第１特徴構成は、
前記載置部の上方に着脱自在に配設され、その前方及び後方及び左右に側壁を有し、その下方が前記載置部に向けて開口して入口を構成し、その上方が上火バーナに向けて開口して出口を構成する、上下が開口した筒状のカバー体を備え、前記被調理物の加熱によって発生する油煙が、前記カバー体の前記入口から前記出口に流動して、前記上火バーナに向けて誘導されるように構成されている点を特徴とする。
【００１１】
すなわち、被調理物を載置する載置部の上方に着脱自在に配設され、その前方及び後方及び左右に側壁を有するカバー体を備え、このカバー体の下方が前記載置部に向けて開口して入口を構成し、このカバー体の上方が上火バーナに向けて開口して出口を構成し、そして、被調理物の加熱によって発生する油煙が、前記カバー体の前記入口から前記出口に流動して、前記上火バーナに向けて誘導されるのである。
【００１２】
そして、上火バーナに向けて誘導された油煙は、グリル庫の後部に連設されて調理排気を上方の排気出口に案内する排気路に流れる際に、上火バーナに接近して高温に加熱される、または、上火バーナによって形成される炎との接触によって酸化分解されることになる。したがって、ガスグリルから排出される調理排気に含まれる油煙量は減少し、秋刀魚等の油脂分の多い被調理物を加熱調理する際にも、ガスグリルから外部に排出される油煙量を減少させることができる。
【００１３】
また、ガスグリルの外部に排出される油煙量を減少させるために、上記上火バーナとは別にアフターバーナを装備するものではないため、油煙の浄化のために余分なエネルギを消費しないので、エネルギの消費を抑制して油煙量を減少させることができる。しかも、上記上火バーナとは別にアフターバーナを装備するものではないため、上下が開口した筒状のカバー体を備えるだけの簡素な構成で油煙量を減少させることができる。
【００１４】
しかも、カバー体は、被調理物を載置する載置部の上方に着脱自在に配設されるものであるから、調理前の被調理物を載置部に載置するときや調理を終えた被調理物を載置部から皿などの食器に移動させるときに、カバー体を載置部から取り外すことで、被調理物の載置部への載置や被調理物の載置部からの移動が容易に行えて、使い勝手のよいガスグリルとすることが可能である。
【００１５】
要するに、本発明の第１特徴構成によれば、簡素な構成でかつエネルギの消費を抑制する形態で、外部に排出される油煙量を減少させることが可能で、被調理物の載置部への載置や被調理物の載置部からの移動が容易に行える、使い勝手のよいガスグリルを提供できる。
【００１６】
本発明のガスグリルの第２特徴構成は、上記した第１特徴構成に加えて、前記被調理物から落下した焼き汁を受け止めるグリル皿を備え、前記載置部が、前記グリル皿上に載置される焼き網であるように構成されている点を特徴とする。
【００１７】
つまり、被調理物から落下した焼き汁を受け止めるグリル皿を備え、このグリル皿上に載置される焼き網によって前記載置部を構成し、この焼き網の上方に上下が開口した筒状のカバー体を配設するのである。
【００１８】
このように構成すると、被調理物から落下した焼き汁を受け止めるグリル皿の上に載置した焼き網によって載置部を構成し、そして、この焼き網の上方に前記カバー体を配設するだけの簡単な構成で外部に排出される油煙量を減少させることが可能となるガスグリルを構成することができる。
【００１９】
要するに、本発明の第２特徴構成によれば、上記第１特徴構成による作用効果に加えて、一層簡素な構成で外部に排出される油煙量を減少させることが可能となるガスグリルを提供できる。
【００２０】
本発明のガスグリルの第３特徴構成は、上記した第１特徴構成に加えて、前記被調理物から落下した焼き汁を受け止めるグリル皿を備え、前記載置部が、前記グリル皿の底面から上方に向けて突出して形成した複数の突部であるように構成されている点を特徴とする。
【００２１】
すなわち、被調理物から落下した焼き汁を受け止めるグリル皿を備え、グリル皿の底面に上方に向けて突出して形成した複数の突部によって前記載置部を構成し、この載置部の上方に上下が開口した筒状のカバー体を配設するのである。
【００２２】
つまり、被調理物から落下した焼き汁を受け止めるグリル皿の底面に上方に突出して形成した突部によって載置部を構成し、そして、この載置部の上方に上下が開口した筒状のカバー体を配設するものであるから、被調理物の下に位置するグリル皿の底面に載置部となる突部を上方に突出して形成して、この載置部の上方に上下が開口した筒状のカバー体を配置するだけで、簡単に外部に排出される油煙量を減少させることが可能となるガスグリルを構成することができる。
【００２３】
要するに、本発明の第３特徴構成によれば、上記第１特徴構成による作用効果に加えて、一層簡素な構成で外部に排出される油煙量を減少させることが可能となるガスグリルを提供できる。
【００２４】
本発明のガスグリルの第４特徴構成は、上記第２特徴構成に加えて、前記グリル庫の左右の両側壁の下方に下火バーナを備え、前記焼き網と前記グリル皿との間に前記下火バーナの火炎を形成するように構成されている点を特徴とする。
【００２５】
このように、上記上火バーナに加えて焼き網とグリル皿との間に火炎を形成する下火バーナを備えるものであるから、上火バーナによって被調理物の上面の加熱を行うと同時に下火バーナによって被調理物の下面の加熱を行えるので、グリル調理に要する時間の短縮化を図ることができるものとなる。
【００２６】
しかも、下火バーナの火炎が焼き網とグリル皿との間に形成されるものであるから、被調理物の加熱によって発生した油煙が焼き網を上から下に通り抜けて焼き網の下側に流動した場合にも、焼き網の下側に流動した油煙は、焼き網とグリル皿との間に形成される下火バーナの火炎によって焼き切られることになり、外部に排出される油煙量は減少する。
【００２７】
つまり、被調理物の加熱によって発生した油煙のうち、被調理物の上方に流動する油煙は、被調理物を覆うカバー体に誘導されて、上火バーナに接近して高温に加熱される、または、上火バーナによって形成される炎との接触によって酸化分解され、被調理物の下方に流動する油煙は、焼き網とグリル皿との間に形成される下火バーナの火炎によって焼き切られることになり、外部に排出される油煙量は減少するのである。
【００２８】
要するに、本発明の第４特徴構成によれば、上記第２特徴構成による作用効果に加えて、外部に排出される油煙量を減少させながら、グリル調理に要する時間の短縮化を図ることが可能となるガスグリルを提供できる。
【００２９】
本発明のガスグリルの第５特徴構成は、上記第１〜第４特徴構成のいずれかに加えて、前記カバー体における前記入口と前記出口との間に、前記上火バーナによって加熱される多孔状体を具備する点を特徴とする。
【００３０】
このように構成することで、被調理物の加熱によって発生する油煙が、前記カバー体の前記入口から前記出口に流動して、前記上火バーナに向けて誘導され、そして、カバー体における前記入口と前記出口との間に具備する多孔状体つまり上火バーナによって加熱される多孔状体と接触して油煙の量を減少させ、その後に、上火バーナに向けて誘導された油煙が上火バーナに接近して高温に加熱される、或いは、上火バーナによって形成される炎との接触によって酸化分解されることになる。
【００３１】
したがって、被調理物の加熱によって発生する油煙は、上火バーナに接近して高温に加熱される、或いは、上火バーナによって形成される炎との接触によって酸化分解される前に、上火バーナによって加熱される多孔状体との接触しによってその量が減少することになり、排気路に流入する油煙の量は、一層減少することになる。
【００３２】
要するに、本発明の第５特徴構成によれば、上記第１〜第４特徴構成のいずれかによる作用効果に加えて、一層油煙量を減少させることが可能となるガスグリルを提供できる。
因みに、上記多孔状体は、上記上火バーナによって加熱されるものであるが、この多孔状体は被調理物を覆うカバー体に具備するものであるため、多孔状体の熱は被調理物にも輻射等によって伝熱し易いものであり、多孔状体の加熱に用いられたエネルギは、有効に被調理物の加熱に供されやすいものとなる。
【００３３】
本発明のガスグリルの第６特徴構成は、上記第５特徴構成に加えて、前記多孔状体が網により構成される点を特徴とする。
本発明の第６特徴構成によれば、網により多孔状体を構成するものであるから、簡単に多孔状体が構成できるので、上記第５特徴構成による作用効果に加えて、簡素な構成で外部に排出される油煙量を減少させることが可能となるガスグリルを提供できる。
【００３４】
本発明のガスグリルの第７特徴構成は、上記第５または第６特徴構成に加えて、前記多孔状体に酸化触媒を担持させるように構成されている点を特徴とする。
【００３５】
つまり、多孔状体に酸化触媒を担持させ、多孔状体に誘導された油煙が多孔状体との接触によって酸化分解されるときの酸化分解に係る反応効率が酸化触媒によって高められるものである。このように、多孔状体に酸化触媒を担持させることで、多孔状体と接触する油煙が多孔状体との接触によって酸化分解されるときの酸化分解に係る反応効率が高められ、ガスグリルから外部に排出される油煙量をさらに減少させることができる。
【００３６】
要するに、本発明の第７特徴構成によれば、上記第５または第６特徴構成による作用効果に加えて、外部に排出される油煙量をさらに減少させることが可能なガスグリルを提供できる。
【発明の効果】
【００３７】
以上のように、本発明の第１特徴構成によれば、簡素な構成でかつエネルギの消費を抑制する形態で、外部に排出される油煙量を減少させることが可能で、被調理物の載置部への載置や被調理物の載置部からの移動が容易に行える、使い勝手のよいガスグリルを提供できる。
第２特徴構成によれば、一層簡素な構成で外部に排出される油煙量を減少させることが可能となるガスグリルを提供できる。
第３特徴構成によれば、一層簡素な構成で外部に排出される油煙量を減少させることが可能となるガスグリルを提供できる。
第４特徴構成によれば、外部に排出される油煙量を減少させながら、グリル調理に要する時間の短縮化を図ることが可能となるガスグリルを提供できる。
第５特徴構成によれば、一層油煙量を減少させることが可能となるガスグリルを提供できる。
第６特徴構成によれば、簡素な構成で外部に排出される油煙量を減少させることが可能となるガスグリルを提供できる。
第７特徴構成によれば、外部に排出される油煙量をさらに減少させることが可能なガスグリルを提供できる。
【図面の簡単な説明】
【００３８】
【図１】第１実施形態のガスグリルを備えたコンロの平面図
【図２】第１実施形態のガスグリルの要部を示す側断面図
【図３】第１実施形態のガスグリルの要部を示す正断面図
【図４】第２実施形態のガスグリルの要部を示す側断面図
【図５】第２実施形態のガスグリルの要部を示す正断面図
【図６】別実施形態のガスグリルの要部を示す正断面図
【図７】別実施形態のガスグリルの要部を示す側面図
【図８】別実施形態のガスグリルの要部を示す側面図
【図９】従来のガスグリルの要部を示す側断面図
【図１０】別実施形態のガスグリルに用いられるグリル皿を示す斜視図
【発明を実施するための形態】
【００３９】
以下、図面に基づいて、本発明に係るガスグリルを搭載したガスコンロの実施形態の一例を説明する。
図１には、第１実施形態のガスグリル４０を備えたガスコンロ（ガステーブルコンロ）１０を示し、ガスグリル４０を、ガスコンロ１０の左右方向の略中央に備える。このガスコンロ１０には、ガスコンロ１０の上面を覆う天板１３にコンロバーナ２０を臨ませて配置してある。天板１３の後方には、ガスグリル４０からの調理排気を排出するために排気出口４５が配設されている。図１では、排気出口４５を覆い、天板１３上に載置して用いられる排気カバー４５ａを取り外した状態を示している。なお、排気カバー４５ａには調理排気が通過する排気通流孔が多数設けられている。
【００４０】
ガスグリル４０の前面には、グリル庫３０の前面の開口部３１を閉塞するグリル扉４６を開閉するグリル扉４６用の取っ手４４を備える。（図２参照。）また、ガスコンロ１０の前面には、左側コンロバーナ２０の点消火を行うための点消火操作部４１、および、右側コンロバーナ２０の点消火を行うための点消火操作部４２、および、ガスグリル４０に備える上火バーナ３２ａ、下火バーナ３２ｂ（図２、図３等参照。）の点消火を行うための点消火操作部４３が配設されている。
【００４１】
なお、本書では、本発明の実施形態として、グリル付ガステーブルコンロに備えるガスグリル４０を一例として説明するが、本発明はグリル付ガステーブルコンロに備えるガスグリルに限定されるものではなく、キッチンカウンターの上部に設けた開口に設置されるドロップインタイプのガスコンロに備えるガスグリルやコンロ等に内蔵されないガスグリルに対しても適用可能である。
【００４２】
第1実施形態では、図２、図３に示すように、ガスグリル４０は、グリル庫３０の前面の開口部３１から、被調理物３４を載置した焼き網３３を収容して、グリル庫３０の天井部に設けられた上火バーナ３２ａによって主に被調理物３４の上面を加熱し、また、グリル庫３０の左右の両側壁の下方に設けられた下火バーナ３２ｂが形成する炎によって主に被調理物３４の下面を加熱し、被調理物３４の上下両面を同時に加熱する両面焼き調理を行う。なお、グリル皿３７の周縁に備える周壁３９の上端から空間５３を存して焼き網３３を支持する支持体５１を備え、支持体５１を備えることによってグリル皿３７の周縁に備える周壁３９の上端と焼き網３３との間には空間５３が形成され、この空間５３に下火バーナ３２ｂによる炎を形成する。なお、本実施形態において、焼き網３３は、鉄など金属製の線材を略矩形に折り曲げ加工して形成した枠体に鉄など金属製の線材を多数架設して溶接によって止着したものにフッ素樹脂等のコーティングを施したものであるが、略矩形の枠体に格子状の網体を架設したものにめっきによるコーティングを施すなど、焼き網３３は、種々の形態で構成可能である。
【００４３】
調理によって被調理物３４から落下する焼き汁は、焼き網３３の下に備えるグリル皿３７によって受け止められる。なお、グリル庫３０の後部に排気路５２が連設されており、調理排気は上方の排気出口４５に案内されて、調理排気は排気出口４５から器外に排出される。なお、焼き網３３が、被調理物３４を載置する載置部を構成する。
【００４４】
また、グリル庫３０の両側壁に固定された固定レール（図示せず。）に対してスライド自在に構成されたスライドレール３５（図７参照。）にグリル皿３７の左右端が取り付けられており、グリル扉４６用の取っ手４４を把持して前後に移動操作することで、グリル皿３７は、その上に載置された焼き網３３と共に、グリル庫３０内への収納およびグリル庫３０からの引き出し自在に構成されている。
【００４５】
図２、図３に示すように、被調理物３４を覆うカバー体Ｃが焼き網３３の上に載置されており、カバー体Ｃが焼き網３３の上方に配設されて焼き網３３の上方全体を覆っている。なお、カバー体Ｃは、着脱自在に焼き網３３の上方に配設されている。
カバー体Ｃは上下が開口した筒状で、前方及び後方及び左右に側壁Ｈを有しており、カバー体Ｃの下方が載置部としての焼き網３３に向けて開口して入口Ｋ１を構成し、カバー体Ｃの上方が上火バーナ３２ａに向けて開口して出口Ｋ２を構成している。
【００４６】
さらに詳しく説明すると、カバー体Ｃの入口Ｋ１つまりカバー体Ｃの下端からカバー体Ｃの出口Ｋ２であるカバー体Ｃの上端までの寸法は本実施形態では４０ｍｍとなるように構成されており、カバー体Ｃの出口Ｋ２であるカバー体Ｃの上端から上火バーナ３２ａの下端面までの距離は、本実施形態では２２ｍｍとなるように構成されている。つまり、本実施形態においては、カバー体Ｃの下端が載置される焼き網３３から上火バーナ３２ａの下端面までの距離６２ｍｍのうち略３分の２に相当する４０ｍｍが筒状のカバー体Ｃによって覆われている。
【００４７】
上火バーナ３２ａの燃焼によって発生する燃焼ガスは、被調理物３４の加熱によって発生する油煙と共に排気路５２を通って排気出口４５から器外に排出されることになるが、上火バーナ３２ａ燃焼用の空気がグリル庫３０の前面の開口部３１付近に設けられた吸気口３８（図示せず）からグリル庫３０内に流入し、グリル庫３０内において、調理排気はグリル庫３０の前面の開口部３１から排気路５２に向かう後方側に向かって流動することになる。
【００４８】
一方、被調理物３４の加熱によって発生する油煙は、グリル庫３０の前面の開口部３１から排気路５２に向かう上述の調理排気の流動によって、後方に流動しようとするが、カバー体Ｃを構成する左右前後の側壁Ｈが存在するため、被調理物３４の加熱によって発生する油煙は、そのまま被調理物３４の後方側に流れて排気路５２に流入することが出来ず、カバー体Ｃの入口Ｋ１から出口Ｋ２に流動して、上火バーナ３２ａに向けて誘導される。
【００４９】
そして、上火バーナ３２ａに向けて誘導された油煙は、グリル庫３０の後部に連設されて調理排気を上方の排気出口４５に案内する排気路５２に流れる際に、上火バーナ３２ａに接近して高温に加熱される、若しくは、上火バーナ３２ａによって形成される炎との接触によって酸化分解される。そして、ガスグリル４０から排出される調理排気に含まれる油煙量は減少し、秋刀魚等の油脂分の多い被調理物３４を加熱調理する際にも、ガスグリル４０から外部に排出される油煙量が減少する。
【００５０】
また、上火バーナ３２ａ及び下火バーナ３２ｂの燃焼によって加熱される被調理物３４から発生する油煙の一部は、焼き網３３の網目を上側から下側に通り抜けて、焼き網３３の下側から排気路５２に流入することになるが、下火バーナ３２ｂの火炎が焼き網３３とグリル皿３７との間に形成されるものであるから、被調理物３４の加熱によって発生した油煙が焼き網３３の網目を上から下に通り抜けて焼き網３３の下側に流動した場合にも、焼き網３３の下側に流動した油煙は、焼き網３３とグリル皿３７との間に形成される下火バーナ３２ｂの火炎によって焼き切られることになり、排気路５２を経由してガスグリル４０の外部に排出される油煙量は減少する。
【００５１】
なお、図２には、被調理物３４から発生する油煙を多く含む調理排気３６ａ（実線で示す。）がカバー体Ｃの入口Ｋ１から出口Ｋ２に流動して、上火バーナ３２ａに向けて誘導されて、上火バーナ３２ａに向けて誘導された油煙が、グリル庫３０の後部に連設されて調理排気を上方の排気出口４５に案内する排気路５２に流れる際に、上火バーナ３２ａに接近して高温に加熱される、若しくは、上火バーナ３２ａによって形成される炎との接触によって酸化分解されて、油煙が減少した調理排気３６ｂ（破線で示す。）となって、排気路５２を経由して排気出口４５から排出される様子、及び、被調理物３４の加熱によって発生した油煙を多く含む調理排気３６ａ（実線で示す。）が焼き網３３の網目を上から下に通り抜けて焼き網３３の下側に流動した場合にも、焼き網３３の下側に流動した油煙を多く含む調理排気３６ａ（実線で示す。）が、焼き網３３とグリル皿３７との間に形成される下火バーナ３２ｂの火炎によって焼き切られ油煙が減少した調理排気３６ｂ（破線で示す。）となって排気路５２を経由して排気出口４５から排出される様子を模式的に表してある。
【００５２】
つぎに、第２実施形態について説明する。
第２実施形態では、図４、図５に示すように、カバー体Ｃにおける入口Ｋ１と出口Ｋ２との間に、上火バーナ３２ａによって加熱される多孔状体Ｔを具備する。
さらに詳しく説明すると、この第２実施形態では、第１実施形態と同様に、カバー体Ｃの入口Ｋ１つまりカバー体Ｃの下端からカバー体Ｃの出口Ｋ２であるカバー体Ｃの上端までの寸法は本実施形態では４０ｍｍとなるように構成されており、カバー体Ｃの出口Ｋ２であるカバー体Ｃの上端から上火バーナ３２ａの下端面までの距離は、本実施形態では２２ｍｍとなるように構成されている。つまり、本実施形態においても、カバー体Ｃの下端が載置される焼き網３３から上火バーナ３２ａの下端面までの距離６２ｍｍのうち略３分の２に相当する４０ｍｍが筒状のカバー体Ｃによって覆われている。
そして、カバー体Ｃの入口Ｋ１と出口Ｋ２との間におけるカバー体Ｃの上端から１０ｍｍ下、つまり、カバー体Ｃの下端が載置される焼き網３３から３０ｍｍ上の高さに多孔状体Ｔを具備する。
【００５３】
このようにカバー体Ｃにおける入口Ｋ１と出口Ｋ２との間に、上火バーナ３２ａによって加熱される多孔状体Ｔを具備することで、被調理物３４の加熱によって発生する油煙が、カバー体Ｃの入口Ｋ１から出口Ｋ２に流動して、上火バーナ３２ａに向けて誘導され、そして、カバー体Ｃにおける入口Ｋ１と出口Ｋ２との間に具備する多孔状体Ｔつまり上火バーナ３２ａによって加熱される多孔状体Ｔと接触して油煙の量を減少させ、その後に、上火バーナ３２ａに向けて誘導された油煙が上火バーナ３２ａに接近して高温に加熱される、或いは、上火バーナ３２ａによって形成される炎との接触によって酸化分解されることになり、排気路５２に流入する油煙の量は、一層減少する。
【００５４】
なお、図４には、被調理物３４から発生する油煙を多く含む調理排気３６ａ（実線で示す。）がカバー体Ｃの入口Ｋ１から出口Ｋ２に流動して、上火バーナ３２ａに向けて誘導され、上火バーナ３２ａに向けて誘導された油煙が、グリル庫３０の後部に連設されて調理排気を上方の排気出口４５に案内する排気路５２に流れる際に、上火バーナ３２ａに接近して高温に加熱される、或いは、上火バーナ３２ａによって形成される炎との接触によって酸化分解されて、油煙が減少した調理排気３６ｂ（破線で示す。）となって、排気路５２を経由して排気出口４５から排出される様子、及び、被調理物３４の加熱によって発生した油煙を多く含む調理排気３６ａ（実線で示す。）が焼き網３３の網目を上から下に通り抜けて焼き網３３の下側に流動した場合にも、焼き網３３の下側に流動した油煙を多く含む調理排気３６ａ（実線で示す。）が、焼き網３３とグリル皿３７との間に形成される下火バーナ３２ｂの火炎によって焼き切られ油煙が減少した調理排気３６ｂ（破線で示す。）となって排気路５２を経由して排気出口４５から排出される様子を模式的に表してある。
【００５５】
なお、第２実施形態において、多孔状体Ｔは、上火バーナ３２ａによって加熱されるものであるが、この多孔状体Ｔは被調理物３４を覆うカバー体Ｃに具備するものであるため、上火バーナ３２ａから多孔状体Ｔに与えられた熱は被調理物３４にも輻射等によって伝熱し易いものであり、多孔状体Ｔの加熱に用いられたエネルギは、有効に被調理物３４の加熱に用いられることになる。
【００５６】
〔従来技術による両面焼きガスグリル〕
因みに、本発明のカバー体Ｃを備えない従来の両面焼きガスグリルでは、図９に示すように、被調理物３４から発生する油煙を多く含む調理排気３６ａ（実線で示す。）が、排気路５２を経由して排気出口４５から排出される。
【００５７】
別実施形態
以下、別実施形態について説明する。
（１）上述の実施形態においては、図２、図４に示すように、カバー体Ｃが焼き網３３の上に載置されて、カバー体Ｃが焼き網３３の上方に配設されるように構成してあるが、図６に示すように、カバー体Ｃが焼き網３３の上方を覆って配設されるように、グリル庫３０の側壁に設けた係止部５６にカバー体Ｃを係止するように構成してもよい。この場合、グリル庫３０の側壁に設けた係止部５６にカバー体Ｃが係止された状態を維持しながら、カバー体Ｃがグリル庫３０内を前後方向にスライド自在に、かつ、着脱自在となるように構成してもよい。
（２）図７に示すように、カバー体Ｃの後部下端と焼き網３３の後端をヒンジＧによって結合し、ヒンジＧを支軸としてカバー体Ｃが回動可能となるように構成してもよい。
【００５８】
（３）第１実施形態では、上火バーナ３２ａ及び下火バーナ３２ｂを備えるものであったが、図８に示すように、下火バーナ３２ｂは備えず、グリル庫３０の前面の開口部３１から、被調理物３４を載置した焼き網３３を収容して、上火バーナ３２ａによって被調理物３４に対する片面焼きによる加熱調理を行い、被調理物３４から落下する焼き汁は、焼き網３３の下に備えるグリル皿３７によって受け止められるように構成してもよい。この場合、焼き網３３は備えず、図１０に示すように、焼き汁を受け止めるグリル皿３７の底面から上方に突出するように形成した複数の突部５７によって、被調理物３４を載置する載置部を構成し、この載置部に被調理物３４を載置するように、そして、グリル皿３７の底面を囲繞する周壁３９の上方にカバー体Ｃを配置するように構成してもよい。
【００５９】
（４）多孔状体ＴにＰｔ等の酸化触媒５５を担持するように構成してもよい。多孔状体Ｔに酸化触媒５５を担持することで、多孔状体Ｔによる油煙の酸化分解が促進されて、排気路５２を通過する調理排気に含まれる油煙の比率がさらに減少する。
（５）多孔状体Ｔにセラミック塗装等からなる高輻射塗料を塗布してもよい。多孔状体Ｔに高輻射塗料を塗布した場合は、多孔状体Ｔに高輻射塗料を塗布しない場合に比べて、上火バーナ３２ａからの輻射により多孔状体Ｔの温度をさらに高温に維持することができ、多孔状体Ｔによる油煙の酸化分解が促進されて、排気路５２を通過する調理排気に含まれる油煙の比率がさらに減少する。
【００６０】
（６）カバー体Ｃには、前方側の側壁Ｈを備えないように構成してもよい。この場合、グリル扉４６がカバー体Ｃの前方側の側壁Ｈとして作用することになる。つまり、カバー体Ｃの後方側の側壁Ｈとカバー体Ｃの左右の側壁Ｈとグリル扉４６とで被調理物３４から発生する油煙を上火バーナ３２ａに誘導する。
さらに説明すると、グリル庫３０内における調理排気は、グリル庫３０の開口部３１から排気路５２に向かう後方側に向かって流動しているので、カバー体Ｃの前方側の側壁Ｈがなくても被調理物３４から発生する油煙は前方側には流動し難いため、カバー体Ｃの左右の側壁Ｈとグリル扉４６との間に多少の間隙が存在してもこの間隙を経由して直接排気路５２に流動して、上火バーナ３２ａに焼き切られずに排気路５２に流動する油煙の量が少ない場合には実用上不都合はなく、構成が簡略化されるばかりでなく、調理途中の被調理物３４の調理具合が前方から確認できて好都合である。
（７）カバー体Ｈの側壁Ｈは、耐熱ガラス等、透明の部材を用いて構成してもよい。この場合、グリル扉４６にのぞき窓を備えるように構成しておくことで、調理途中の被調理物３４の調理具合が上記のぞき窓からグリル扉４６を閉じた状態で確認できるため、使用勝手がよいガスグリルとすることができる。
【符号の説明】
【００６１】
１０  ガスコンロ
１３  天板
２０  コンロバーナ
３０  グリル庫
３１  開口部
３２ａ  上火バーナ
３２ｂ  下火バーナ
３３  焼き網（載置部）
３４  被調理物
３５  スライドレール
３６ａ  油煙を多く含む調理排気
３６ｂ  油煙が減少した調理排気
３７  グリル皿
３８  吸気口
３９  周壁
４０  ガスグリル
４１  点消火操作部
４２  点消火操作部
４３  点消火操作部
４４  取っ手
４５  排気出口
４５ａ  排気カバー
４６  グリル扉
５１  支持体
５２  排気路
５３  空間
５５  酸化触媒
５６  係止部
５７  突部
Ｃ  カバー体
Ｇ  ヒンジ
Ｈ  カバー体の側壁
Ｋ１  入口
Ｋ２  出口
Ｔ  多孔状体
【図１】
2014132207.tif 000003
【図２】
2014132207.tif 000004
【図４】
2014132207.tif 000005
【図８】
2014132207.tif 000006
【図９】
2014132207.tif 000007
【図１０】
2014132207.tif 000008
【図３】
2014132207.tif 000009
【図５】
2014132207.tif 000010
【図６】
2014132207.tif 000011
【図７】
2014132207.tif 000012